(57)【要約】【課題】撮影が設定された連続撮影時間の経過により終了した動画像を再生する際、その再生終了時に生じる唐突感を低減させる。【解決手段】動画像の撮影が設定された連続撮影時間の経過により終了したとき、その撮影の終了の時から所定の時間内に次の撮影が開始されたか否かを判断し、次の撮影が開始されたとの判断に応じて、その撮影が終了した動画像の終端にインターミッション用の区切り画像を記録し、次の撮影が開始されなかったとの判断に応じて、その撮影が終了した動画像の終端にエンディング用の区切り画像を記録する。【選択図】図１
2008301357.tif 000002
【特許請求の範囲】
【請求項１】
被写体を撮影して得られた動画像を記録媒体に記録する撮像装置において、
前記撮影を連続して行う連続撮影時間を設定する撮影時間設定手段と、
インターミッション用の区切り画像およびエンディング用の区切り画像を取得する区切り画像取得手段と、
前記動画像の撮影が前記設定手段により設定された連続撮影時間の経過により終了したとき、該終了の時から所定の時間内に次の撮影が開始されたか否かを判断する判断手段と、
前記判断手段による前記次の撮影が開始されたとの判断に応じて、前記撮影が終了した動画像の終端に前記インターミッション用の区切り画像を記録し、前記次の撮影が開始されなかったとの判断に応じて、前記撮影が終了した動画像の終端に前記エンディング用の区切り画像を記録する記録手段とを備えたことを特徴とする撮像装置。
【請求項２】
前記インターミッション用の区切り画像および前記エンディング用の区切り画像が、静止画像であることを特徴とする請求項１記載の撮像装置。
【請求項３】
前記インターミッション用の区切り画像および前記エンディング用の区切り画像が、動画像であることを特徴とする請求項１記載の撮像装置。
【請求項４】
前記インターミッション用の区切り画像および前記エンディング用の区切り画像が、前記終了した撮影により得られた動画像のダイジェスト画像であることを特徴とする請求項１または３記載の撮像装置。
【請求項５】
前記連続撮影時間の設定が、前記動画像の撮影開始前に操作者による入力に基づいて行われるものであることを特徴とする請求項１から４のいずれか１項記載の撮像装置。
【請求項６】
被写体を撮影して得られた動画像を記録媒体に記録する際、
前記撮影を連続して行う連続撮影時間を設定し、
前記動画像の撮影が前記設定された連続撮影時間の経過により終了したとき、該終了の時から所定の時間内に次の撮影が開始されたか否かを判断し、
前記次の撮影が開始されたとの判断に応じて、前記撮影が終了した動画像の終端に予め取得したインターミッション用の区切り画像を記録し、前記次の撮影が開始されなかったとの判断に応じて、予め取得した撮影が終了した動画像の終端に前記エンディング用の区切り画像を記録することを特徴とする制御方法。
【請求項７】
前記インターミッション用の区切り画像および前記エンディング用の区切り画像が、静止画像であることを特徴とする請求項６１記載の制御方法。
【請求項８】
前記インターミッション用の区切り画像および前記エンディング用の区切り画像が、動画像であることを特徴とする請求項６記載の制御方法。
【請求項９】
前記インターミッション用の区切り画像および前記エンディング用の区切り画像が、前記終了した撮影により得られた動画像のダイジェスト画像であることを特徴とする請求項６または８記載の制御方法。
【請求項１０】
前記連続撮影時間の設定が、前記動画像の撮影開始前に操作者による入力に基づいて行われるものであることを特徴とする請求項６から９のいずれか１項記載の制御方法。
【発明の詳細な説明】
【技術分野】
【０００１】
本発明は、被写体を撮影して得られた動画像を記録媒体に記録する撮像装置及びその制御方法に関するものである。
【背景技術】
【０００２】
被写体を撮影して得られた静止画像および動画像を記録媒体に記録するデジタルカメラおよびデジタルビデオカメラ等の撮像装置において、たとえば、特許文献１では、記録媒体の空き容量を読み出し、動画の記録可能時間を算出して表示するようにした撮像装置が提案されている。
【０００３】
また、特許文献２では、一定時間分の動画像の撮影が行われるように、記録媒体の空き容量に基づいて、撮影時の画質を定めるようにした撮像装置が提案されている。さらに、特許文献３では、記録媒体の空き容量に基づいて、監視カメラから逐次取り込まれる映像が記録媒体に記録されるフレームレートを調整し、一定時間分の動画像の記録が行われるようにした撮像装置が提案されている。
【０００４】
また、特許文献４では、ユーザにより選択・入力された動画像の先頭フレーム又は最終フレームにトランジション効果を加える編集機能を備えた携帯端末が提案されている。
【特許文献１】特開平１０−２２９５４３号公報
【特許文献２】特開２００２−１４２１４５号公報
【特許文献３】特開２００２−４４６０９号公報
【特許文献４】特開２００５−１１７４５６号公報
【発明の開示】
【発明が解決しようとする課題】
【０００５】
しかしながら、上記従来の撮像装置による動画像の撮影は、その撮影時間が、一定時間の動画撮影が行われるように予め設定された連続撮影時間に達したとき、終了ボタンの押下のようなユーザによる手動の指示によらず、自動終了する。このように撮影が自動的に終了した動画像は、再生したときに何の前ぶれもなく突然終了するので、その終わり方が唐突な印象を与えるという問題がある。
【０００６】
そこで、そのような唐突な再生終了をなくすために、撮像装置により得られた動画像をパソコンや特許文献４の携帯端末等に移して、動画編集ソフトにより終了前の部分に画像を加えるなど種々の加工を加えることも可能ではあるが、そのためには、撮影により得られた各動画像をそれぞれ手動で編集する煩雑な操作を要する。
【０００７】
本発明は、上記事情に鑑み、撮影が設定された連続撮影時間の経過により終了した動画像であっても、再生終了時に自然な終止感が得られる撮像装置およびその記録方法を提供することを目的とするものである。
【課題を解決するための手段】
【０００８】
本発明の撮像装置は、被写体を撮影して得られた動画像を記録媒体に記録する撮像装置において、撮影を連続して行う連続撮影時間を設定する撮影時間設定手段と、インターミッション用の区切り画像およびエンディング用の区切り画像を取得する区切り画像取得手段と、動画像の撮影が上記設定手段により設定された連続撮影時間の経過により終了したとき、該終了の時から所定の時間内に次の撮影が開始されたか否かを判断する判断手段と、その判断手段による次の撮影が開始されたとの判断に応じて、その撮影が終了した動画像の終端に前記インターミッション用の区切り画像を記録し、次の撮影が開始されなかったとの判断に応じて、その撮影が終了した動画像の終端に前記エンディング用の区切り画像を記録する記録手段とを備えたことを特徴とするものである。
【０００９】
本発明の制御方法は、被写体を撮影して得られた動画像を記録媒体に記録する際、撮影を連続して行う連続撮影時間を設定し、動画像の撮影が設定された連続撮影時間の経過により終了したとき、該終了の時から所定の時間内に次の撮影が開始されたか否かを判断し、次の撮影が開始されたとの判断に応じて、その撮影が終了した動画像の終端に予め取得したインターミッション用の区切り画像を記録し、次の撮影が開始されなかったとの判断に応じて、その撮影が終了した動画像の終端に予め取得したエンディング用の区切り画像を記録することを特徴とするものである。
【００１０】
上記インターミッション用の区切り画像およびエンディング用の区切り画像は、静止画像であってもよいし、動画像であってもよい。
【００１１】
また、上記インターミッション用の区切り画像および前記エンディング用の区切り画像は、その終了した撮影により得られた動画像のダイジェスト画像であってもよい。
【００１２】
また、上記連続撮影時間の設定は、動画像の撮影開始前に操作者による入力に基づいて行われるものであってもよい。
【００１３】
なお、「インターミッション用の区切り画像」とは、その区切り画像が記録されている動画像に継続する画像が存在することを表す画像を広く意味するものであり、たとえば、継続する画像が存在することを表す文字表示を含む画像、継続する画像が存在することを示唆する画像等の鑑賞者に継続する画像が存在することを直接的あるいは間接的に伝えることが可能な画像を意味するものである。「エンディング用の区切り画像」とは、その区切り画像が記録されている動画像に継続する画像が存在しないことを表す画像を広く意味するものであり、たとえば、継続する画像が存在しないことを表す文字表示を含む画像、継続する画像が存在しないことを示唆する画像等の鑑賞者に継続する画像が存在しないことを直接的あるいは間接的に伝えることが可能な画像を意味するものである。
【００１４】
また、「動画像の終端に区切り画像を記録する」とは、その終端の画像に代えて区切り画像を記録するものであってもよいし、その終端に区切り画像を付して記録するものであってもよい。
【発明の効果】
【００１５】
本発明の撮像装置及びその制御方法によれば、動画像の撮影が設定された連続撮影時間の経過により終了したとき、その撮影の終了の時から所定の時間内に次の撮影が開始されたか否かを判断し、次の撮影が開始されたとの判断に応じて、その撮影が終了した動画像の終端に予め取得したインターミッション用の区切り画像を記録し、次の撮影が開始されなかったとの判断に応じて、その撮影が終了した動画像の終端に予め取得したエンディング用の区切り画像を記録するので、撮影された動画像における再生の終了が近いときに、その動画像に継続する画像が存在するか否かを鑑賞者に伝えることができ、その終了時における唐突感を低減させることができる。
【００１６】
さらに、この撮像装置及び制御方法により撮影された動画像は、唐突な再生終了をなくすために、別途の煩雑な編集処理を必要としないため、利便性を向上させることができる。
【発明を実施するための最良の形態】
【００１７】
以下、図面を参照して本発明の撮像装置をデジタルカメラに適用した一実施形態について説明する。なお、本発明の撮像装置は、デジタルカメラに限定されず、例えば、カメラ付き携帯電話、カメラ付きＰＤＡ等、電子撮像機能を備えた他の電子機器に対しても適用可能である。
【００１８】
図１は本発明の一実施形態におけるデジタルカメラ１の内部構成を示す概略ブロック図である。デジタルカメラ１は、レリーズボタン、十字ボタン、メニューボタン等を含む操作系２を有する。なお、操作系２が撮影時間設定手段を構成する。
【００１９】
撮像系１０は、フォーカスレンズおよびズームレンズからなる撮影レンズ１２を有する。撮影レンズ１２を構成するフォーカスレンズおよびズームレンズは、レンズ駆動部１３によって光軸方向に移動可能である。
【００２０】
また、絞り１４は絞り駆動部１５によって駆動される。絞り駆動部１５は、ＡＥ／ＡＷＢ処理部３１から出力される絞り値データに基づいて絞り径の調整を行う。
【００２１】
シャッタ１６はメカニカルシャッタであり、シャッタ駆動部１７によって駆動される。シャッタ駆動部１７は、レリーズボタンの押下により発生する信号と、ＡＥ／ＡＷＢ処理部３１から出力されるシャッタスピードデータとに応じて、シャッタ１６の開閉の制御を行う。
【００２２】
シャッタ１６の後方には撮像素子であるＣＣＤ１８を有している。ＣＣＤ１８は、多数の受光素子を２次元的に配列した光電面を有しており、撮影レンズ１２等の光学系を通過した被写体光がこの光電面に結像し、光電変換される。光電面の前方には、各画素に光を集光するためのマイクロレンズアレイと、Ｒ，Ｇ，Ｂ各色のフィルタが規則的に配列されたカラーフィルタアレイとが配置されている。ＣＣＤ１８は、ＣＣＤ制御部１９から供給される垂直転送クロックおよび水平転送クロックに同期して、画素毎に蓄積された電荷を１ラインずつシリアルなアナログ撮影信号として出力する。各画素において電荷を蓄積する時間、すなわち、露光時間は、ＣＣＤ制御部１９から与えられる電子シャッタ駆動信号によって決定される。また、ＣＣＤ１８はＣＣＤ制御部１９により、あらかじめ定められた大きさのアナログ撮像信号が得られるようにゲインが調整されている。
【００２３】
ＣＣＤ１８から取り込まれたアナログ撮影信号は、アナログ信号処理部２０に入力される。アナログ信号処理部２０は、アナログ信号のノイズを除去する相関２重サンプリング回路（ＣＤＳ）と、アナログ信号のゲインを調節するオートゲインコントローラ（ＡＧＣ）と、アナログ信号をデジタル信号に変換するＡ／Ｄコンバータ（ＡＤＣ）とからなる。なお、アナログ信号処理部２０が行う処理をアナログ信号処理とする。このデジタル信号に変換された画像データは、画素毎にＲ、Ｇ、Ｂの濃度値を持つＣＣＤ−ＲＡＷデータである。
【００２４】
タイミングジェネレータ２１は、タイミング信号を発生させるものであり、このタイミング信号をシャッタ駆動部１７、ＣＣＤ制御部１９、およびアナログ信号処理部２０に供給することにより、レリーズボタンの操作、シャッタ１６の開閉、ＣＣＤ１８の電荷の取込み、およびアナログ信号処理部２０の処理の同期をとっている。
【００２５】
また、デジタルカメラ１は撮影時において必要なときに発光されるフラッシュ２３を有する。
【００２６】
画像入力コントローラ２５は、アナログ信号処理部２０から入力されたＣＣＤ−ＲＡＷデータをフレームメモリ２６に書き込む。
【００２７】
フレームメモリ２６は、画像データに対して後述の各種画像処理（信号処理）を行う際に使用する作業用メモリであり、例えば、一定周期のバスクロック信号に同期してデータ転送を行うＳＤＲＡＭ(Synchronous Dynamic Random Access Memory)が使用される。
【００２８】
表示制御部２７は、フレームメモリ２６に格納された画像データをスルー画像としてモニタ２８に表示させたり、再生モード時に記録メディア３５に保存されている静止画像および動画像をモニタ２８に表示させたりするためのものである。
【００２９】
ＡＦ処理部３０およびＡＥ／ＡＷＢ処理部３１は、プレ画像に基づいて撮影条件を決定する。このプレ画像とは、レリーズボタンが半押しされることによって発生する半押し信号を検出したＣＰＵ４０がＣＣＤ１８にプレ撮影を実行させた結果、フレームメモリ２６に格納された画像データにより表される画像である。
【００３０】
ＡＦ処理部３０は、プレ画像に基づいて焦点位置を検出し、フォーカス駆動量データを出力する（ＡＦ処理）。焦点位置の検出方式としては、例えば、所望とする被写体にピントが合った状態では画像のコントラストが高くなるという特徴を利用して合焦位置を検出するパッシブ方式が考えられる。
【００３１】
ＡＥ／ＡＷＢ処理部３１は、プレ画像に基づいて被写体輝度を測定し、測定した被写体輝度に基づいて、撮影した画像が所望とする明るさとなるように、ＩＳＯ感度、絞り値およびシャッタスピード等を決定し、ＩＳＯ感度データ、絞り値データおよびシャッタスピードデータを露出設定値として決定するとともに（ＡＥ処理）、撮影時のホワイトバランスを自動調整する（ＡＷＢ処理）。
【００３２】
画像処理部３２は、本画像の画像データに対して、階調補正、シャープネス補正、色補正等の画質補正処理、およびＣＣＤ−ＲＡＷデータを輝度信号であるＹデータと、青色色差信号であるＣｂデータおよび赤色色差信号であるＣｒデータとからなるＹＣデータに変換するＹＣ処理を行う。この本画像とは、レリーズボタンが全押しされることによって実行される本撮影によりＣＣＤ１８から取り込まれ、アナログ信号処理部２０、画像入力コントローラ２５経由でフレームメモリ２６に格納された画像データによる画像である。また、画像処理部３２は、動画像の画像データに対しても必要な処理を行う。
【００３３】
圧縮／伸長処理部３３は、画像処理部３２によって処理が行われた本画像の画像データに対して、例えば、ＪＰＥＧ等の圧縮形式で圧縮処理を行い、画像ファイルを生成する。この画像ファイルには、Ｅｘｉｆフォーマット等に基づいて、撮影日時等の付帯情報が格納されたタグが付加される。なお、動画像撮影モードにおける撮影時には、圧縮／伸長処理部３３は、動画像の画像データをモーションＪＰＥＧ、ＭＰＥＧ１，２，４およびＨ．２６４等の圧縮方式にて圧縮し、動画像の画像ファイルを生成する。
【００３４】
メディア制御部３４は、記録メディア３５にアクセスして画像ファイルの書き込みと読み込みの制御を行う。
【００３５】
記録メディア３５は、スマートメディア、ＰＣカード、コンパクトフラッシュ（登録商標）、磁気ディスク、光ディスク、光磁気ディスク、メモリスティックなど種々の形態が可能であり、使用される媒体に応じた信号処理手段とインターフェースが適用される。異種、同種の記録メディアを問わず、複数の媒体を装着可能な構成にしてもよい。また、リムーバブルメディアに限らず、デジタルカメラ１０に内蔵された記録メディアであってもよい。
【００３６】
内部メモリ３６は、デジタルカメラ１において設定される各種定数、およびＣＰＵ４０が実行するプログラム等を記憶する。
【００３７】
区切り画像取得部３７は、動画像に継続する画像が存在することを表す、「インターミッション用の区切り画像」、および動画像に継続する画像が存在しないことを表す、「エンディング用の区切り画像」を取得する。この区切り画像取得部３７により取得されたインターミッション用の区切り画像またはエンディング用の区切り画像は、撮影が設定された連続撮影時間の経過により終了した動画像の終端に、その動画像に継続する画像が存在するか否かに応じて記録される。
【００３８】
ここで、「インターミッション用の区切り画像」としては、たとえば、「インターミッション」、「つづく」等の継続する画像が存在することを表す文字表示を含む種々の画像の他、継続する画像が存在することを示唆する内容の画像、例えば、映画の開始を表すようなカウントダウンの動画像、映画館でやっているポップコーンやコーラ等を登場させたＣＭのような動画像、席に着いて映画を待っているような様子の人物を表す画像等を用いることができる。
【００３９】
また、「エンディング用の区切り画像」としては、たとえば、「終わり」、「ＥＮＤ」等の継続する画像が存在しないことを表す文字表示を含む種々の画像の他、継続する画像が存在しないことを示唆する内容の画像、例えば、映画の終了を表すエンドロールのような動画像、「面白かった？」と人物もしくはアニメのキャラクターが問いかける画像、人物が席を離れて帰って行く様子を表す画像等を用いることができる。
【００４０】
「インターミッション用の区切り画像」および「エンディング用の区切り画像」は、以上のように例示した画像に限らず、鑑賞者に継続する画像が存在するか否かを直接的あるいは間接的に伝えることが可能なものであれば、いかなる画像であってもよい。
【００４１】
このような区切り画像の取得処理は、例えば、エンディング用の区切り画像およびインターミッション用の区切り画像のいずれかとしてユーザにより予め入力され、内部メモリ３６に記憶されている画像を取得するものであってもよいし、あらかじめ出荷時に区切り画像として入力され、内部メモリ３６に記憶されている画像を取得するものであってもよいし、その撮影が終了した動画像を画像解析して得られた色合いの傾向等の属性に基づいて、新たに区切り画像を生成して取得するものであってもよい。また、記録媒体に記録されている一部の画像、例えば、静止画像、動画像、２以上の静止画像あるいは動画像を組み合わせてなる画像、ダイジェスト画像のいずれかとともに、継続する画像が存在するか否かを表す文字を表示する画像を区切り画像として取得することもできる。
【００４２】
ここで、ダイジェスト画像は、たとえば、その撮影が終了した動画像の各シーンから顔画像等の所望の対象物を検出し、その検出された対象物の画面内の位置や占める比率、動きの大きさ等に基づいて印象的なシーンであるかどうかを評価し、その評価値が高い所定数のシーンを時列順に組み合わせて生成してもよいし、他の公知の生成方法により生成してもよい。
【００４３】
図２Ａと図２Ｂは、区切り画像取得部３７により取得されたインターミッション用の区切り画像の例示である。図２Ａは、予め区切り画像用に内部メモリ３６に記録されている、継続する画像が存在することを表す文字を含む画像であり、図２Ｂは、撮影により記録媒体に記録された一部の画像を画面の一部Ｄにさらにはめ込んで生成した画像である。
【００４４】
計時部３８は、動画像の撮影が開始してからの時間の経過および動画像の撮影が停止してからの時間の経過を計時し、ＣＰＵ４０に出力する。
【００４５】
通信部３９は、コンピュータ等の外部記録装置との間で通信して画像データの送・受信を行う。
【００４６】
ＣＰＵ４０は、操作系２および計時部３８等の各種処理部からの信号に応じてデジタルカメラ１の本体各部を制御する。具体的には、動画像の撮影の前あるいは撮影中に、ユーザによる動画像の連続撮影時間の設定を操作系２から受け付け、設定結果を内部メモリ３６に記憶する。なお、連続撮影時間は、ユーザに設定させてもよいが、あらかじめ出荷時にデフォルトで設定した値を内部メモリ３６に記憶しておいてもよい。
【００４７】
また、ＣＰＵ４０は、デジタルカメラ１０の動作モードが動画撮影モードである場合に、動画像の撮影時において、計時部により得られたその動画像の撮影時間が設定された連続撮影時間となったときに撮影を停止し、その停止の時から所定の時間ｔｋ内に次の撮影が開始されたか否かを判断し、次の撮影が開始されたとの判断に応じて、その撮影が終了した動画像の終端に予め取得したインターミッション用の区切り画像を記録し、次の撮影が開始されなかったとの判断に応じて、その撮影が終了した動画像の終端にエンディング用の区切り画像を記録するよう、区切り画像取得部３７を含むデジタルカメラ１の各部を制御する。
【００４８】
ここで、動画像の終端に区切り画像を記録する処理は、その終端の画像に代えて区切り画像を記録するものであってもよいし、その終端に区切り画像を付して記録するものであってもよい。例えば、設定された連続撮影時間が５９分５９秒であり、その連続撮影時間の経過により撮影が終了した５９分５９秒の動画像の端部に記録されるインターミッション用あるいはエンディング用の区切り画像が３秒の再生時間を有する動画像である場合には、その動画像の５９分５６秒から５９分５９秒までの３秒間の画像データに代えて区切り画像を記録してもよいし、区切り画像を動画像の端部に付して記録することにより、１時間２秒の動画像を形成することもできる。
【００４９】
また、動画像の終端に区切り画像を記録する際に、その動画像が区切り画像に切り替わる繋がりを滑らかにするため、フェードイン等のトランジション効果を加えてもよい。
【００５０】
データバス４１は、各種処理部、フレームメモリ２６およびＣＰＵ４０等に接続されており、画像データおよび各種指示等のやり取りを行う。
【００５１】
次いで、図３のフローチャートを参照して、デジタルカメラ１による動画像の撮影時に行われる処理の一例について説明する。
【００５２】
撮影モードが動画像撮影モードに設定されることによりＣＰＵ４０が処理を開始し、ユーザがレリーズボタンを押下することにより撮影開始の指示がなされたか否かを監視する（ステップＳＴ１）。ステップＳＴ１が肯定されると、動画像の撮影および記録を開始し（ステップＳＴ２）、さらに、撮影時間が設定された連続撮影時間を超えたか否かを判定する（ステップＳＴ３）。ステップＳＴ３が肯定されると撮影および記録を停止し、そこまで動画像を撮影することにより記録した画像ファイルＭＡを開いた状態、すなわち追加的な記録が可能な状態にしておく（ステップＳＴ４）。そして、その停止の時から所定の時間ｔｋ内に次の撮影が開始されたか否かを判断し（ステップＳＴ５）、ステップＳＴ５が否定されると、画像ファイルＭＡの終端にエンディング用の区切り画像を記録してファイルを閉じる（ステップＳＴ６）。一方、ステップＳＴ５が肯定されると、画像ファイルＭＡの終端にインターミッション用の区切り画像を記録してファイルを閉じる（ステップＳＴ７）。
【００５３】
ここで、所定の時間ｔｋは、撮影が設定された連続撮影時間の経過により停止した後、その所定の時間ｔｋを経過する前に再び撮影が開始された場合、その開始された撮影は前の撮影に継続するものとして判断でき、その所定の時間ｔｋを経過した後に撮影が開始された場合、その開始された撮影は前の撮影に継続しないものとして判断できる程度の時間として、例えば３秒等、任意に決定することができる。なお、設定された連続撮影時間が例えば１時間である場合には、所定の時間ｔｋは１時間未満とすることが好ましい。
【００５４】
なお、上述した処理においては、記録メディア３５が複数の動画像の記録を同時に行うことが可能なＨＤＤ等であることを想定し、動画像の撮影が設定された連続撮影時間の経過により停止した後、次の撮影が所定の時間ｔｋを経過する前に開始されたことに応じて、前の撮影により得られた画像ファイルＭＡへの追加的な記録をその次の撮影による記録と同時に行う場合について説明したが、記録メディア３５が一度に１の動画像のみを記録できるものである場合には、図４に示すように、その追加的な記録を、次の撮影が終了した後に行うことが好ましい。
【００５５】
ここで、図４のフローチャートを参照して、デジタルカメラ１による動画像の撮影時に行われる処理の他の一例について説明する。
【００５６】
撮影モードが動画像撮影モードに設定されることによりＣＰＵ４０が処理を開始し、ユーザがレリーズボタンを押下することにより撮影開始の指示がなされたか否かを監視する（ステップＳＴ１１）。ステップＳＴ１１が肯定されると、変数iに１を設定し、動画像の撮影および画像ファイルＭｉへの記録を開始し（ステップＳＴ１２）、さらに、撮影時間が設定された連続撮影時間を超えたか否かを判定する（ステップＳＴ１３）。ステップＳＴ１３が肯定されると撮影および記録を停止し、そこまで動画像を撮影することにより記録した画像ファイルＭｉを開いた状態、すなわち追加的な記録が可能な状態にしておく（ステップＳＴ１４）。そして、動画像の撮影が停止した時から所定の時間ｔｋ内に次の撮影開始の指示がなされたか否かを監視する（ステップＳＴ１５）、ステップＳＴ１５が否定されると、画像ファイルＭｉの終端にエンディング用の区切り画像を記録してファイルを閉じる（ステップＳＴ１６）。一方、ステップＳＴ１５が肯定されると、変数iに１を加え、動画像の撮影および画像ファイルＭｉへの記録を開始し（ステップＳＴ１７）、さらに、撮影時間が設定された連続撮影時間を超えたか否かを判定する（ステップＳＴ１８）。ステップＳＴ１８が肯定されると撮影および記録を停止し、そこまで動画像を撮影することにより記録した画像ファイルＭｉを開いた状態、すなわち追加的な記録が可能な状態にしておく（ステップＳＴ１９）。そして、画像ファイルＭ（ｉ-１）の終端にインターミッション用の区切り画像を記録してファイルを閉じる（ステップＳＴ２０）。そして、ステップＳＴ１５に戻ってステップＳＴ５以降の処理を繰り返す。
【００５７】
上述した各処理によれば、動画像の撮影が設定された連続撮影時間の経過により終了したとき、図５Ａに示すように、その終了の時から所定の時間ｔｋ内に次の撮影が開始されず、継続する画像が存在しない場合には、その終了した撮影により記録された画像ファイルＭＡの終端にエンディング用の区切り画像ＳＥが記録され、図５Ｂに示すように、その終了の時から所定の時間ｔｋ内に次の撮影が開始され、継続する画像が存在する場合には、その終了した撮影により記録された画像ファイルＭＡの終端にインターミッション用の区切り画像ＳＩが記録される。
【００５８】
これにより、撮影が設定された連続撮影時間の経過により終了した動画像において、たとえば、図６Ｂに示す従来の撮影装置により得られた動画像に比べ、図６Ａに示すように、その動画像における再生の終了が近いときに、インターミッション用の区切り画像ＳＩあるいはエンディング用の区切り画像ＳＥを表示して、その動画像に継続する画像が存在するか否かを鑑賞者に伝えることができ、その終了時における唐突感を低減させることができる。
【図面の簡単な説明】
【００５９】
【図１】本発明の一実施形態におけるデジタルカメラの内部構成を示す概略ブロック図
【図２Ａ】区切り画像取得部により取得された区切り画像の一例を示す図
【図２Ｂ】区切り画像取得部により取得された区切り画像の一例を示す図
【図３】動画像の撮影時に行われる処理を示すフローチャート
【図４】動画像の撮影時に行われる処理を示すフローチャート
【図５Ａ】図１のデジタルカメラにより記録された動画像の構成を示す概念図
【図５Ｂ】図１のデジタルカメラにより記録された動画像の構成を示す概念図
【図６Ａ】図１のデジタルカメラにより記録された動画像の一例を示す図
【図６Ｂ】従来の撮影装置により得られた動画像の一例を示す図
【符号の説明】
【００６０】
１０    デジタルカメラ（撮像装置）
２０    操作部
２６    信号処理部
３０    ＣＰＵ
３２    メモリ
３６    内部メモリ（記録媒体）
３７    区切り画像取得部（区切り画像取得手段）
【図１】
2008301357.tif 000003
【図２Ａ】
2008301357.tif 000004
【図２Ｂ】
2008301357.tif 000005
【図３】
2008301357.tif 000006
【図４】
2008301357.tif 000007
【図５Ａ】
2008301357.tif 000008
【図５Ｂ】
2008301357.tif 000009
【図６Ａ】
2008301357.tif 000010
【図６Ｂ】
2008301357.tif 000011